(57)【要約】【課題】  使用状況に拘わらず良好な操作性をもつリモートコントロール装置の提供。【解決手段】  伸縮可能に設置された把持部を備えた遠隔操作装置であって、外部機器に対する信号伝達手段として無線送信手段と有線送信手段を備え、把持部の伸縮によってそれら送信手段の切り替えを行う構成とする。【選択図】  図１
2009141593.tif 000002
【特許請求の範囲】
【請求項１】
筐体と、前記筐体に設置された操作部と、前記筐体から伸縮可能に設置された把持部とを備えた遠隔操作装置。
【請求項２】
前記操作部への入力を基に外部機器の制御を行う機器制御部と、前記機器制御部からの制御信号を前記外部機器に伝達する複数の送信手段を備え、前記把持部の伸縮によって前記送信手段の切り替えを行うことを特徴とする請求項1に記載の遠隔操作装置。
【請求項３】
前記複数の送信手段は、無線送信手段と有線送信手段によって成ることを特徴とする請求項2に記載の遠隔操作装置。
【発明の詳細な説明】
【技術分野】
【０００１】
本発明は遠隔操作装置に関するものである。
【背景技術】
【０００２】
従来より、カメラ機器等の電子機器を遠隔操作することを目的として、リモートコントロール信号を対象機器に送信することで制御を行う所謂リモコン装置が広く使用されている。リモコン装置には信号の送信を行う通信手段が設けられており、使用者は、一連の操作系から動作要求を入力することで、離間した位置にある対象機器を制御することができる。リモコン装置には状況により様々な使用形態が考えられるが、一般的には本体を手で保持して操作を行う場合と、三脚のパンハンドル等に固定して使用する場合とに大別される。前者の使用形態の場合、リモコン装置本体の把持性が重要な要素となるため、ある程度の大きさを確保した筐体である事が望ましい。また、使用中のリモコン装置の姿勢に自由度が要求されるため、通信手段としては赤外線等を利用した無線送信手段が有効となる。使用状況としては、例えば、リモコン装置と制御対象の機器が大きく離れている場合や、たがいの位置関係が時系列的に変化する場合などに有利である。一方、後者の場合は、リモコン装置の固定位置に柔軟性を持たせるために、筐体は極力小型であることが求められる。使用時におけるリモコン装置と操作機器との姿勢や距離は一定であるが、互いの位置関係は接合する器具の形状により制限されるため、通信手段としては端部に接続コネクタを設けたケーブルが備えられることが多く、有線通信による安定した通信品質を得ることができるという利点がある。
【０００３】
上記の例として、下記特許文献１をあげることが出来る。
【特許文献１】特開2003-304584号公報
【発明の開示】
【発明が解決しようとする課題】
【０００４】
上述したように、リモコン装置は、その使用される状況や目的によって、要求される機能、形態が大きく異なる。従って、把持使用と固定使用では異なるリモコン装置が使用されることが多く、取り扱いに不便さが伴っていた。
【０００５】
本発明は上記の問題を鑑みてなされたものであり、使用環境に応じた適切な操作性と通信品質を有するリモコン装置の提供を目的とする。
【課題を解決するための手段】
【０００６】
上記の解決手段として、本発明は、伸縮可能に設置された把持部を備えた遠隔操作装置であって、外部機器に対する信号伝達手段として無線送信手段と有線送信手段を備え、把持部の伸縮によってそれら送信手段の切り替えを行うことを特徴とする。
【発明の効果】
【０００７】
請求項１〜請求項３に記載の発明によれば、リモコン本体に伸縮可能な把持部を設けているため、使用状況に応じた適切な操作性を得ることができる。また把持部の伸縮に対応した複数の信号伝達手段を設けているため、外部機器との良好な通信品質を確保することが出来る。
【０００８】
そして、使用環境に応じた適切な操作性と通信品質を有するリモコン装置の提供が可能となる。
【発明を実施するための最良の形態】
【０００９】
次に、本発明の詳細を実施例の記述に従って説明する。
【００１０】
以下、図面を参照して、本発明における実施の形態の一例を説明する。
【実施例１】
【００１１】
図1は本実施例のリモコン装置の構成を示す外観図、図2は構成を示すブロック図である。図1、図2において、リモコン装置10は、操作部11、把持部12、信号伝達部13、制御回路14、固定具15から構成されている。
【００１２】
操作部11は、各種選択／決定を行う選択キー11ａと、入力された各種キーの情報を制御回路14に送るキー入力制御回路11ｂとを備えている。把持部12は、リモコン装置10に伸縮自在に設置された伸縮アーム12ａ、伸縮アーム12ａの展開／収納を検知する伸縮検知スイッチ12ｂから構成されている。信号伝達部13は、赤外発光素子13ａと通信ケーブル部13ｂ、および両者の選択と動作を制御する伝達制御回路13ｃを備えている。制御回路14は、ＣＰＵ14ａと、各種情報データを格納するＲＯＭ 14ｂ、ＲＡＭ 14ｃとを備え、キー入力制御回路11ｂおよび伸縮検知スイッチ12ｂからの出力を基に信号伝達部13の動作を制御する。固定具15は、係止金具15ａと締結ナット15ｂで構成され、三脚のパンハンドル等にリモコン装置10を固定する際に用いられる。
【００１３】
図3、図4は上記構成のリモコン装置における、実際の使用状況について説明した概略図である。図3、図4において、外部撮像機器20は、リモコン装置10に設置された赤外発光素子13ａまたは通信ケーブル13ｂに対応した図示しない受信手段を有し、リモコン装置10からの制御信号に基づいて各種動作を行う。また三脚30にはパンハンドル31が設けられており、リモコン装置10を固定することが可能となっている。図3、図4における他の構成については図1、図2と重複するため同一符号を付し、説明を省略する。
【００１４】
図3において、使用者はリモコン装置10を把持し、外部撮像機器20に対して赤外発光素子13ａを介した無線伝送による撮影動作制御を行っている。この時、伸縮アーム12ａはリモコン10本体より伸長され、使用者は外部に突出した把持部12を保持することで安定した操作性を確保している。
【００１５】
一方、図4においては、使用者は、リモコン装置10を三脚30のパンハンドル31に設置して外部撮像機器20を操作している。リモコン装置10の固定具15に設けられた係止金具15ａはパンハンドル31の任意の位置に架止されており、締結ナット15ｂにより締付けられることでリモコン装置10本体を三脚に固定している。この時、把持部12はリモコン装置10に収納され、リモコン装置10と外部撮像機器20とは通信ケーブル13ｂにより接続されている。
【００１６】
次に、上述のように構成された本発明に係るリモコン装置10の動作について、図5のフローチャートに基づいて詳細に説明する。
【００１７】
使用者は、リモコン装置10に対し、操作部11を操作して外部機器への動作制御を要求する。同要求が入力されると、制御部14はＲＯＭ 14b内に格納されたプログラムに従って、図5の「制御信号送信プログラム」の実行をステップＳ100にて開始する。まず、ステップｓ101において、伸縮検知スイッチ12ｂは伸縮アーム12ａの展開／収納状況を検知し、制御回路14に検知結果を出力する。次にステップｓ102にて、制御回路14は、伸縮検知スイッチ12ｂからの信号に基づき、リモコン装置10の使用状況、即ち使用者による把持状態若しくは非把持状態を判断する。
【００１８】
ステップｓ102においてリモコン装置が把持状態にあると判断された場合にはステップｓ103へ分岐する。ステップｓ103において、制御回路14は伝達制御回路13ｃに対し、外部機器への伝達手段として赤外発光素子13ａの使用を要求する信号と、使用者により入力された外部機器への動作要求に対応した外部機器制御信号を出力する。続くステップｓ104では、伝達制御回路13ｃにより、外部機器制御信号が赤外発光素子13ａの発光信号に変換され、外部機器に発信される。
【００１９】
一方、ステップｓ102において、リモコン装置が非把持状態にあると判断された場合にはステップＳ105へ分岐し、制御回路14は伝達制御回路13ｃに対し、外部機器制御信号とともに通信ケーブル13ｂの使用を要求する信号を出力する。ステップｓ106において伝達制御回路13ｃは、制御回路14からの出力に基づいて外部機器制御信号を通信ケーブル13ｂより外部機器に送信する。
【００２０】
ステップｓ104またはステップｓ106において外部機器への制御信号が出力されると、ステップｓ107にて「制御信号送信ルーチン」は終了し、リモコン装置10は使用者による動作要求の入力待ちの状態となる。
【図面の簡単な説明】
【００２１】
【図１】本実施例のリモコン装置の構成を示す外観図。
【図２】構成を示すブロック図。
【図３】リモコン装置における、実際の使用状況について説明した概略図。
【図４】リモコン装置における、実際の使用状況について説明した概略図。
【図５】フローチャート
【図１】
2009141593.tif 000003
【図２】
2009141593.tif 000004
【図３】
2009141593.tif 000005
【図４】
2009141593.tif 000006
【図５】
2009141593.tif 000007